(57)【特許請求の範囲】
【請求項１】
内部に光源を有する灯体と、
前記灯体を支持するとともに内部に電源装置を収容してライティングダクトに移動可能に取り付けられる電源ボックスと、
前記電源ボックスを前記ライティングダクトに移動可能に支持する機械的保持部と、
前記電源ボックスを前記ライティングダクトに移動可能に支持するとともに前記ライティングダクトから前記電源ボックスに給電する給電プラグと、
前記電源ボックスの底板から内部に突出させた突起部と、
前記突起部の周囲に形成したリブと、
前記電源ボックスの上部開口を覆うカバーと、を有し、
前記電源ボックスの一方の端部に、前記灯体を支持するとともに前記機械的保持部を配置し、
前記電源ボックスの他方の端部に前記給電プラグを配置し、
前記電源装置の電気入力部を前記給電プラグ側に設けるとともに、前記電源装置から前記灯体に電力を供給する電気出力部を前記灯体側に配置し、
前記突起部の先端を前記カバーに設けた孔から上方へ突出させ、
前記突起部の先端に前記機械的保持部を取り付け、
前記突起部および前記リブは根元に向かって太くなっている照明器具。
【請求項２】
請求項１に記載の照明器具において、
前記機械的保持部は、前記電源ボックスの重心位置から輪郭形状の中心位置までの間に設けられている照明器具。
【請求項３】
請求項１または請求項２に記載の照明器具において、
前記電源ボックスの底板に２個以上のボスを設け、
前記電源装置の電源回路基板を収納する基板ケースの底面において前記ボスと対向する位置に前記ボスが嵌まる凹部を設け、
前記基板ケースの外周面に、前記凹部よりも前記電源回路基板側に突出する縦壁を設けた照明器具。
【発明の詳細な説明】
【技術分野】
【０００１】
本発明は、天井等に敷設されたライティングダクトに、機械的に結合されるとともに電気的に接続されて移動可能な照明器具に関するものである。
【背景技術】
【０００２】
従来より、天井等に敷設されたライティングダクトに、移動可能に取り付けられる照明器具が知られている（例えば、特許文献１参照）。
図９に示すように、特許文献１に記載の照明器具１００では、天井等に敷設されたライティングダクト（図示省略）に移動可能に取り付けられて、例えば下方を照明する。
照明器具１００は、電源装置１０１を収納してライティングダクトに移動可能に取り付けられる電源ボックス１０２を有する。この電源ボックス１０２の下方には、光源（図示省略）を収容する灯体１０３が、照明方向を調整可能に取り付けられる。
【０００３】
電源ボックス１０２においてライティングダクト（図示省略）の長さ方向に沿う一端側には、灯体１０３およびライティングダクト（図示省略）に電気的接続および機械的接続を行う電気的接続部としての給電プラグ１０４を有する。給電プラグ１０４は、レバー１０７により、回動可能となっている。
また、電源ボックス１０２の他端側には、ライティングダクト（図示省略）に機械的接続を行う機械的接続部１０５を有する。この機械的接続部１０５は、ヒンジ１０６を介して電源ボックス１０２の上面に回動可能に取り付けられており、給電プラグ１０４がライティングダクト（図示省略）への固定状態から離脱した状態で、脱着操作可能としている。
【０００４】
従って、まず、機械的接続部１０５をライティングダクト（図示省略）に取り付ける。その後、ヒンジ１０６を中心として電源ボックス１０２を回動させ、レバー１０７により給電プラグ１０４を取付位置に回動させて、給電プラグ１０４をライティングダクト（図示省略）に取り付ける。
これにより、電源ボックス１０２は、給電プラグ１０４および機械的接続部１０５によりライティングダクト（図示省略）に移動可能に支持されるとともに、給電プラグ１０４により電力の供給を受ける。
【先行技術文献】
【特許文献】
【０００５】
【特許文献１】特許第４０６６６１８号公報（第１図）
【発明の概要】
【発明が解決しようとする課題】
【０００６】
ところで、前述したように、電源ボックス１０２の内部に電源装置１０１を収容する照明器具１００においては、通常、電源装置１０１における一次側のコネクタと、二次側のコネクタとは、長手方向に対向する位置に設けられる。
すなわち、電源装置１０１に電力を供給する一次側のコネクタは給電プラグ１０４の真下に設けられ、灯体１０３に電力を供給する二次側のコネクタは機械的接続部１０５側に設けられる。
このため、二次側のコネクタと灯体１０３とを接続するリード線は、電源ボックス１０２の内部において長手方向に長く配線しなければならないという問題があった。
【０００７】
本発明は、従来の問題を解決するためになされたもので、電源装置を収容する電源ボックスにおいて電源装置と灯体とを電気的に接続する配線を短くできる照明器具を提供することを目的とする。
【課題を解決するための手段】
【０００８】
本発明の照明器具は、内部に光源を有する灯体と、前記灯体を支持するとともに内部に電源装置を収容してライティングダクトに移動可能に取り付けられる電源ボックスと、前記電源ボックスを前記ライティングダクトに移動可能に支持する機械的保持部と、前記電源ボックスを前記ライティングダクトに移動可能に支持するとともに前記ライティングダクトから前記電源ボックスに給電する給電プラグと、前記電源ボックスの底板から内部に突出させた突起部と、前記突起部の周囲に形成したリブと、前記電源ボックスの上部開口を覆うカバーと、を有し、前記電源ボックスの一方の端部に、前記灯体を支持するとともに前記機械的保持部を配置し、前記電源ボックスの他方の端部に前記給電プラグを配置し、前記電源装置の電気入力部を前記給電プラグ側に設けるとともに、前記電源装置から前記灯体に電力を供給する電気出力部を前記灯体側に配置し、前記突起部の先端を前記カバーに設けた孔から上方へ突出させ、前記突起部の先端に前記機械的保持部を取り付け、前記突起部および前記リブは根元に向かって太くなっているものである。
【００１０】
また、本発明の照明器具は、前記機械的保持部は、前記電源ボックスの重心位置から輪郭形状の中心位置までの間に設けられているものである。
【００１１】
さらに、本発明の照明器具は、前記電源ボックスの底板に２個以上のボスを設け、前記電源装置の電源回路基板を収納する基板ケースの底面において前記ボスと対向する位置に前記ボスが嵌まる凹部を設け、前記基板ケースの外周面に、前記凹部よりも前記電源回路基板側に突出する縦壁を設けたものである。
【発明の効果】
【００１２】
本発明は、灯体と機械的保持部を電源ボックスの同じ側の端部に設け、給電プラグを反対側の端部に設ける。そして、電源装置の電気入力部を給電プラグ側に設けるとともに、電源装置から灯体に電力を供給する電気出力部を灯体側に配置したので、電気出力部と灯体とを接続する配線を短くすることができるという効果を有する照明器具を提供できる。
【図面の簡単な説明】
【００１３】
【図１】本発明に係る実施形態の照明器具の斜視図
【図２】本発明に係る実施形態の照明器具をライティングダクトに取り付けた状態を示す側面図
【図３】カバーを取り外した電源ボックスの平面図
【図４】電源ボックスの分解斜視図
【図５】（Ａ）はカバーを取り外した電源ボックスの筐体の斜視図であり、（Ｂ）は（Ａ）中Ｂ部分の拡大図であり、（Ｃ）は（Ｂ）中Ｃ−Ｃ位置の断面図
【図６】（Ａ）は電源ボックスの平面図であり、（Ｂ）は（Ａ）中Ｂ−Ｂ位置の断面図であり、（Ｃ）は（Ｂ）中Ｃ部分の拡大図
【図７】（Ａ）はカバーを外した電源ボックスを上方から見た分解斜視図であり、（Ｂ）は下方から見た分解斜視図
【図８】（Ａ）はカバーを外した電源ボックスを上方から見た平面図であり、（Ｂ）は（Ａ）中Ｂ−Ｂ位置の断面図であり、（Ｃ）は（Ｂ）中Ｃ部分の拡大図
【図９】従来の照明器具の斜視図
【発明を実施するための形態】
【００１４】
以下、本発明に係る実施形態の照明器具について、図面を用いて説明する。
図１および図２に示すように、本発明に係る実施形態の照明器具１０は、天井１１に取り付けられているライティングダクト１２に沿って移動可能に保持されて、例えば、下方や側方を照明するものである。
なお、以下の説明において、天井１１側を「上側（上方）」で示し、天井１１と反対側を「下側（下方）」で示すこととする。
【００１５】
照明器具１０は、内部に電源装置２１（図３参照）を収容してライティングダクト１２に移動可能に取り付けられる電源ボックス２０を有する。電源ボックス２０の一方の端部である左側端部の下面には、内部に光源３１を有する灯体３０を有する。灯体３０は、下向きに開口した全体コ字形状の支持部材３２の下端部に回動可能かつ所望の角度で停止可能に取り付けられている。また、支持部材３２は、電源ボックス２０の下面に、水平方向へ回動可能に支持されている。
従って、灯体３０は、上下左右の所望の方向へ照射可能となる。
【００１６】
電源ボックス２０の上面には、ライティングダクト１２に移動可能に支持される機械的保持部２２と、ライティングダクト１２に移動可能に支持されるとともにライティングダクト１２から電源ボックス２０に給電する給電プラグ２３を有する。
機械的保持部２２は、電源ボックス２０の長手方向において灯体３０が支持されている左側端部（一方の端部）に設けられており、ライティングダクト１２に支持されるための支持板２２１を電源ボックス２０の幅方向に長く有する。
【００１７】
一方、給電プラグ２３は、電源ボックス２０の長手方向において他方の端部である右側端部に設けられている。給電プラグ２３は、ライティングダクト１２に支持されるための支持板２３１を、電源ボックス２０の幅方向に長く有するとともに、ライティングダクト１２から給電されるための給電部材２３２を有する。
なお、給電プラグ２３は水平方向に回動可能に支持されており、レバー２３３の操作により、回動する。
【００１８】
図４に示すように、電源ボックス２０は上方が開口（上部開口２４１）した矩形箱状の筐体２４を有しており、上部開口２４１を覆うカバー２５を有する。
従って、電源ボックス２０は、筐体２４の内部に電源装置２１を収容して、上部開口２４１にカバー２５を取り付けて構成される。
【００１９】
図３および図４に示すように、電源装置２１は、矩形板状の電源回路基板２１１を有しており、基板ケース２１４に収容されている。電源回路基板２１１は、給電プラグ２３側の端部には、電源装置２１に電力を供給するための電気入力部である一次側コネクタ２１２が搭載されている。一次側コネクタ２１２は、一次側リード線２６１によって給電プラグ２３の給電部材２３２に接続される。
また、電源回路基板２１１における灯体３０側の端部には、電源装置２１から灯体３０に点灯電力を供給するための電気出力部である二次側コネクタ２１３が搭載されている。二次側コネクタ２１３は、配線としての二次側リード線２６２によって灯体３０の光源３１に接続される。
【００２０】
図５（Ａ）に示すように、電源ボックス２０の筐体２４の底板２４２において一方の端部である左側端部には、突起部２４３が筐体２４の内部（図５（Ａ）において上方）に向かって突出して設けられている。突起部２４３は、灯体３０が取り付けられた電源ボックス２０の重心位置Ｇ１（すなわち、照明器具１０全体の重心位置、図２参照）と、電源ボックス２０の輪郭形状である筐体２４の中心位置Ｇ２までの間に設けられている。
突起部２４３の下端部には例えば円形のベース部２４７が一体的に設けられており、ベース部２４７を介して底板２４２に一体的に取り付けられる。
これにより、突起部２４３は、底板２４２に強固に取り付けられる。
【００２１】
図５（Ｂ）に示すように、突起部２４３は円形断面をしており、周囲には複数（ここでは、例えば４個）のリブ２４４が上下方向に沿って設けられている。
突起部２４３およびリブ２４４は根元に向かって太くなっている。すなわち、突起部２４３は、上方に向かって径が小さくなる円錐台形状をしている。
【００２２】
突起部２４３の先端面２４３Ａは、カバー２５に設けられている孔２５１（図４参照）から上方へ突出しており、突起部２４３の先端面２４３Ａに機械的保持部２２を取り付ける。
すなわち、図５（Ｂ）および（Ｃ）に示すように、突起部２４３の先端面２４３Ａには、機械的保持部２２位置決め用の突起２４５が一対設けられており、一対の突起２４５の間にはねじ孔２４６が設けられている。
図６（Ｂ）および（Ｃ）に示すように、機械的保持部２２の支持板２２１は、ねじ２２２を突起部２４３のねじ孔２４６に締結することにより取り付けられる。
【００２３】
なお、図６（Ｃ）に示すように、カバー２５の孔２５１の径をＤ１とすると、突起部２４３の根元における径Ｄ２を、少なくともＤ１よりも大きく設定する。また、孔２５１位置においてリブ２４４を含む突起部２４３の径は、Ｄ１よりも小さい。
従って、突起部２４３の外径が根元に向かって太くなっているので、万が一突起部２４３が破損して底板２４２から離脱した場合に、突起部２４３がカバー２５の孔２５１に引っ掛かる。このため、照明器具１０の落下を防止して安全性を向上させることができる。
【００２４】
図７（Ａ）に示すように、電源ボックス２０の底板２４２に２個以上のボス２７を設ける。ここでは、例えば２個のボス２７（図７（Ａ）では１個のみ表示）を、底板２４２の対角位置に２個設けた（図５（Ａ）参照）。また、底板２４２の中央部には、受け台２４８を長手方向に設けた（図５（Ａ）参照）。
【００２５】
そして、図７（Ｂ）に示すように、電源回路基板２１１を収納する基板ケース２１４の底面２１４Ａにおいて、筐体２４の底板２４２に設けたボス２７と対向する位置に、このボス２７が嵌まる凹部２８を設けた。すなわち、２個の凹部２８を、基板ケース２１４の対角位置に設けた。
また、基板ケース２１４の外周には、凹部２８よりも電源回路基板２１１側（すなわち、上側）に突出する縦壁２１４Ｂを全周にわたって設けた。
【００２６】
ここで、図８（Ｃ）に示すように、ボス２７の高さをＨ１、凹部２８の深さをＨ２とすると、Ｈ１＞Ｈ２となるように設定する。
これにより、基板ケース２１４の底面２１４Ａは電源ボックス２０の底板２４２から所定間隔（Ｈ１−Ｈ２）だけ浮いた状態で取り付けられ、放熱性が向上する。
【００２７】
従って、基板ケース２１４を筐体２４に取り付ける際には、基板ケース２１４の凹部２８を、筐体２４の底板２４２のボス２７に嵌合させて位置決めする。このとき、筐体２４の底板２４２に設けられている受け台２４８が、基板ケース２１４の底面２１４Ａを支持する。
そして、ねじ２９により凹部２８をボス２７に固定する。
【００２８】
以上、説明した本発明に係る実施形態の照明器具１０は、電源ボックス２０に設けられている機械的保持部２２と給電プラグ２３により、ライティングダクト１２に移動可能に支持される。電源ボックス２０に収容されている電源装置２１は、給電プラグ２３を介してライティングダクト１２から電力の供給を受け、灯体３０に点灯電力を供給して、光源３１を点灯させる。
【００２９】
このとき、灯体３０と機械的保持部２２を電源ボックス２０の同じ側の端部に設け、給電プラグ２３を反対側の端部に設ける。そして、電源装置２１の一次側コネクタ２１２を給電プラグ２３側に設け、電源装置２１から灯体３０に電力を供給する二次側コネクタ２１３を灯体３０側に配置した。これにより、二次側コネクタ２１３と灯体３０とを接続する二次側リード線２６２を短くできる。
これに伴い、外来ノイズからの影響を受けにくくなる。
【００３０】
また、一次側リード線２６１および二次側リード線２６２が電源装置２１の発熱部品と接近する可能性が低くなり、電源装置２１からの熱の影響を受けにくくなるので、熱劣化のリスクが低くなって、照明器具１０の長寿命化を図ることができる。
さらに、一次側リード線２６１および二次側リード線２６２を引き回す必要がなくなるので、省スペース化を図ることができ、電源ボックス２０の小型化を図ることができる。
【００３１】
また、電源ボックス２０の底板２４２から内部に突出させて突起部２４３を設け、突起部２４３の先端を、電源ボックス２０の上部開口２４１を覆うカバー２５の孔２５１から上方へ突出させて、突起部２４３の先端面２４３Ａに機械的保持部２２を取り付けた。
このため、機械的保持部２２に作用する重量を電源ボックス２０の底板２４２が支持することになり、従来のカバー２５に機械的保持部２２を取り付ける場合に比して、保持力がアップする。
また、突起部２４３の周囲にはリブ２４４を形成したので、突起部２４３の強度を大きくできる。
【００３２】
また、機械的保持部２２を、電源ボックス２０の重心位置Ｇ１から筐体２４の輪郭形状の中心位置Ｇ２までの間に設けたので、機械的保持部２２と給電プラグ２３との間を大きく取ることができる。
このため、バランス良く照明器具１０をライティングダクト１２に取り付けることができる。
また、給電プラグ２３を樹脂で形成した場合に、給電プラグ２３が破損しても、機械的保持部２２だけで照明器具１０を支持することができ、安全性が増す。
【００３３】
さらに、電源ボックス２０の底板２４２に２個以上のボス２７を設けるとともに、電源回路基板２１１を収納する基板ケース２１４の底面２１４Ａにおいてボス２７と対向する位置にボス２７が嵌まる凹部２８を設けた。
このため、基板ケース２１４を電源ボックス２０に取り付ける際に、容易に位置決めできる。また、凹部２８の深さだけ電源ボックス２０の高さを低くできる。
そして、基板ケース２１４の外周には、凹部２８よりも電源回路基板２１１側に突出する縦壁２１４Ｂを全周にわたって設けたので、基板ケース２１４に電源回路基板２１１を取り付ける際に、容易に位置決めできる。
【００３４】
なお、本発明の照明器具は、前述した実施形態に限定されるものでなく、適宜な変形，改良等が可能である。
【符号の説明】
【００３５】
１０  照明器具
１２  ライティングダクト
２０  電源ボックス
２１  電源装置
２１１  電源回路基板
２１２  一次側コネクタ（電気入力部）
２１３  二次側コネクタ（電気出力部）
２１４  基板ケース
２１４Ａ  底面
２１４Ｂ  縦壁
２２  機械的保持部
２３  給電プラグ
２４１  上部開口
２４２  底板
２４３  突起部
２４４  リブ
２５  カバー
２５１  孔
２６２  二次側リード線（配線）
２７  ボス
２８  凹部
３０  灯体
３１  光源
Ｇ１  重心位置
Ｇ２  輪郭形状の中心位置
【図１】
0005842096.tif 000002
【図２】
0005842096.tif 000003
【図３】
0005842096.tif 000004
【図４】
0005842096.tif 000005
【図５】
0005842096.tif 000006
【図６】
0005842096.tif 000007
【図７】
0005842096.tif 000008
【図８】
0005842096.tif 000009
【図９】
0005842096.tif 000010